(57)【要約】【課題】コンパクトな構成の電気瞬間温水器の耐久性を高めることができる電気瞬間温水器の圧力緩和機構を提供する。【解決手段】合成樹脂材で給湯流路Ｐ１を形成した温水器本体Ｐを構成する。給湯流路Ｐ１の長手側面側に給湯流路Ｐ１に連通する受水圧室１０を形成する。給湯流路Ｐ１内の水圧に伴って可変する受水圧コマ体２０を受水圧室１０内に収納する。受水圧コマ体２０を常時給湯流路Ｐ１側に押圧付勢する圧力調整バネ３０を設置する。給湯流路Ｐ１内に瞬時圧力が加わると給湯流路Ｐ１の圧力が減圧されるように構成する。【選択図】  図４
2018185021.tif 000002
【特許請求の範囲】
【請求項１】
温水器本体を構成する合成樹脂材で給湯流路を形成した電気瞬間温水器において、給湯流路の長手側面側に形成され該給湯流路に連通する連通孔を備えた受水圧室と、該受水圧室内に収納され給湯流路内の水圧の変化に伴って位置が可変する受水圧コマ体と、該受水圧コマ体を常時給湯流路側に押圧付勢する圧力調整バネとを備え、給湯流路内に瞬時圧力が加わると、給湯流路の流体が受水圧室に侵入して給湯流路の圧力が減圧されるように構成したことを特徴とする電気瞬間温水器の圧力緩和機構。
【請求項２】
前記受水圧室は、前記給湯流路の長手側面に連通する連通孔と、該連通孔から受水空間を備えた筒状の側壁部と、該側壁部の開口端部を施蓋する蓋体とで構成され、側壁部内で前記圧力調整バネが前記受水圧コマ体を押圧付勢し、給湯流路内で瞬時圧力が発生すると側壁部内で前記受水圧コマ体が摺動するように構成された請求項１記載の電気瞬間温水器の圧力緩和機構。
【請求項３】
前記受水圧コマ体は、前記圧力調整バネを収納する有底筒状のコマ本体と、前記連通孔を閉じる底部とで構成され、流体流通時にコマ本体内に収納した前記圧力調整バネの押圧付勢力で底部が前記連通孔を閉じ、給湯流路内で瞬時圧力が発生すると前記連通孔が開くように構成された請求項１記載の電気瞬間温水器の圧力緩和機構。
【発明の詳細な説明】
【技術分野】
【０００１】
本発明は、手洗い器等に温水を供給する電気瞬間温水器の圧力緩和機構に係り、コンパクトな構成の電気瞬間温水器の耐久性を高めることができる電気瞬間温水器の圧力緩和機構に関する。
【背景技術】
【０００２】
従来、手洗い器等に給湯する小型の電気温水器は、給水元管からの水を止水栓，減圧弁を経由して入水管を通じ電気温水器に入水させ、また電気温水器の膨張水を逃し弁により外部へと逃す構成を採用することがある。
【０００３】
特許文献１に記載の電気温水器は、減圧弁又は減圧弁と逃し弁とを電気温水器と別体にして分離して止水栓に取付けた構成である。この給湯設備によると、電気温水器の外形寸法を小さくすることができ、洗面化粧台のキャビネット内部に設置したときに電気温水器の占有するスペースが少なくなるというものである。
【０００４】
すなわち、減圧弁や逃し弁を電気温水器と別体にして分離することで電気温水器の外形寸法を小さくすることができる。しかも、キャビネット内且つ引出し裏のスペースは従来デッドスペースとなっているので、このスペースに分離した減圧弁や逃し弁の取付けが可能になる構成である。
【０００５】
一方、洗面化粧台等に湯を供給する電気温水器を小型化する場合、給湯時にのみ通電する電気瞬間温水器が使用されている。この電気瞬間温水器は、特許文献１の電気温水器のように、減圧弁を使用する必要がないので、コンパクトな設置が可能になっている。
【先行技術文献】
【特許文献】
【０００６】
【特許文献１】特許第４３３５３７３号公報
【発明の概要】
【発明が解決しようとする課題】
【０００７】
ところが、電気瞬間温水器は減圧弁がないので、開閉時に生じる水撃（ウォーターハンマー）のダメージを受ける虞がある。しかも、よりコンパクトな構成の電気瞬間温水器では、温水器本体を構成する合成樹脂材で中空状の給湯流路を一体に形成するタイプもある。このような電気瞬間温水器は、繰り返し印加される水撃による合成樹脂製の温水器本体や給湯流路に加わるダメージが大きくなり、給湯流路や温水器本体の寿命が短くなるおそれがある。
【０００８】
そこで本発明は上述の課題を解消すべく創出されたもので、コンパクトな構成の電気瞬間温水器の耐久性を高めることができる電気瞬間温水器の圧力緩和機構の提供を目的とするものである。
【課題を解決するための手段】
【０００９】
上述の課題を解決すべく本発明の第１の手段は、温水器本体Ｐを構成する合成樹脂材で給湯流路Ｐ１を形成した電気瞬間温水器において、給湯流路Ｐ１の長手側面側に形成され該給湯流路Ｐ１に連通する連通孔１１を備えた受水圧室１０と、該受水圧室１０内に収納され給湯流路Ｐ１内の水圧の変化に伴って位置が可変する受水圧コマ体２０と、該受水圧コマ体２０を常時給湯流路Ｐ１側に押圧付勢する圧力調整バネ３０とを備え、給湯流路Ｐ１内に瞬時圧力が加わると、給湯流路Ｐ１の流体が受水圧室１０に侵入して給湯流路Ｐ１の圧力が減圧されるように構成したものである。
【００１０】
第２の手段において、前記受水圧室１０は、前記給湯流路Ｐ１の長手側面に連通する連通孔１１と、該連通孔１１から受水空間を備えた筒状の側壁部１２と、該側壁部１２の開口端部を施蓋する蓋体１３とで構成され、側壁部１２内で前記圧力調整バネ３０が前記受水圧コマ体２０を押圧付勢し、給湯流路Ｐ１内で瞬時圧力が発生すると側壁部１２内で前記受水圧コマ体２０が摺動するように構成されている。
【００１１】
第３の手段における前記受水圧コマ体２０は、前記圧力調整バネ３０を収納する有底筒状のコマ本体２１と、前記連通孔１１を閉じる底部２２とで構成され、流体流通時にコマ本体２１内に収納した前記圧力調整バネ３０の押圧付勢力で底部２２が前記連通孔１１を閉じ、給湯流路Ｐ１内で瞬時圧力が発生すると前記連通孔１１が開くように構成されたものである。
【発明の効果】
【００１２】
本発明の請求項１のごとく、給湯流路Ｐ１の長手側面側に形成され該給湯流路Ｐ１に連通する連通孔１１を備えた受水圧室１０と、該受水圧室１０内に収納され給湯流路Ｐ１内の水圧の変化に伴って位置が可変する受水圧コマ体２０と、該受水圧コマ体２０を常時給湯流路Ｐ１側に押圧付勢する圧力調整バネ３０とを備え、給湯流路Ｐ１内に瞬時圧力が加わると、受水圧コマ体２０が流体で押圧されて給湯流路Ｐ１の圧力が減圧されるように構成したことで、開閉時に生じる水撃のダメージを受ける虞を回避することができる。したがって、合成樹脂材で温水器本体Ｐと給湯流路Ｐ１を形成したコンパクトな構成の電気瞬間温水器の耐久性を高めることができる。
【００１３】
更に、圧力調整バネ３０の押圧付勢力は給湯流路Ｐ１内の流動時水圧に勝るように設定されている。この結果、受水圧室１０内に流体が移動した後、流体が再び流れ始めて給湯流路Ｐ１内の圧力が元に戻ると、圧力調整バネ３０の押圧付勢力にて受水圧コマ体２０が元の位置に戻り、受水圧室１０の流体は給湯流路Ｐ１内に戻されることになる。したがって、使用者による排水処理も必要なくなるので、使用時におけるメンテナンスの必要もない。
【００１４】
しかも、電気瞬間温水器に装着する構成であるから、減圧弁を装着するスペースも不要になり、極めてコンパクトな設置が可能になるものである。
【００１５】
請求項２のように、側壁部１２内で前記圧力調整バネ３０が前記受水圧コマ体２０を押圧付勢し、温水器本体Ｐと一体に形成された給湯流路Ｐ１内で瞬時圧力が発生すると、受水圧室１０の側壁部１２内で受水圧コマ体２０が摺動するように構成しているので、受水圧室１０の構成が簡素化し、受水圧室１０内で受水圧コマ体２０を確実に摺動させることができる。
【００１６】
請求項３のごとく、流体流通時にコマ本体２１内に収納した前記圧力調整バネ３０の押圧付勢力で底部２２が前記連通孔１１を閉じ、給湯流路Ｐ１内で瞬時圧力が発生すると前記連通孔１１が開くように構成しているので、給湯流路Ｐ１内の僅かな圧力間変化にも瞬時に対応することができる。
【００１７】
このように、本発明によると、コンパクトな構成の電気瞬間温水器の耐久性を高めることができ、しかも、使用者による排水処理等のメンテナンスが不要になるものである。
【図面の簡単な説明】
【００１８】
【図１】本発明の使用例を示す概略図である。
【図２】本発明の瞬間温水器とコントロール装置との連携を示す概略図である。
【図３】本発明の一実施例を示すフロー図である。
【図４】本発明の他の実施例を示すフロー図である。
【発明を実施するための形態】
【００１９】
以下、本発明の実施の形態を説明する。本発明圧力緩和機構は、手洗い器の周辺に設置される電気瞬間温水器に備えられた構成である。この電気瞬間温水器は、給湯時に通電したヒーターで加熱する電気瞬間温水器であり、特に、温水器本体Ｐを構成する合成樹脂材で給湯流路Ｐ１を一体に形成したものである（図１参照）。
【００２０】
合成樹脂製の給湯流路Ｐ１の端部には、温水器本体Ｐから突出する金属製の給水管Ｐ２と給湯管Ｐ３が連結用に設けられているが、温水器本体Ｐ内部の給湯流路Ｐ１は、全て合成樹脂材にて形成されている（図３参照）。
【００２１】
本発明圧力緩和機構は、この温水器本体Ｐに、受水圧室１０、受水圧コマ体２０、圧力調整バネ３０を設けたものである。そして、給湯流路Ｐ１内に瞬時圧力が加わると、給湯流路Ｐ１内の流体が受水圧室１０に侵入して給湯流路Ｐ１の圧力が減圧されるように構成したものである。
【００２２】
受水圧室１０は、給湯流路Ｐ１の長手側面側に一体に形成された部位で、給湯流路Ｐ１に連通する連通孔１１と、受水空間を構成する側壁部１２と、この側壁部１２を施蓋する蓋体１３とを備えている。
【００２３】
連通孔１１は、給湯流路Ｐ１の長手側面に連通する小径孔状の部位である（図３参照）。図示例では、給湯流路Ｐ１の側壁に貫通する部位を小径にすると共に、受水圧室１０側の連通孔１１の径を大径に形成している。
【００２４】
側壁部１２は、受水空間を構成する筒状の部位であり、この側壁部１２の開口端部を蓋体１３が施蓋している（図３参照）。この蓋体１３に空気孔１３Ａを形成している。この空気孔１３Ａは、受水圧室１０の内部に流体が侵入して受水圧コマ体２０が移動したときに、受水圧室１０内の空気を外部に排出する部位である。
【００２５】
図示の蓋体１３は、温水器本体Ｐから突出した支柱１４に固定ネジ１５でネジ止めしている（図１参照）。そして、この蓋体１３を取り外すと、受水圧室１０の内部が見えるように構成している（図２参照）。また、側壁部１２と蓋体１３との間にシール部品１６を介して確実に固定している（図３参照）。このシール部品１６は、万が一、Ｘリング２３が破損した際の漏水を防止する二重安全構造になっている。
【００２６】
受水圧コマ体２０は、受水圧室１０内に収納され給湯流路Ｐ１内の水圧の変化に伴って位置が可変する部材であり、コマ本体２１と底部２２とを備えている（図３参照）。
【００２７】
コマ本体２１は有底筒状の部材であり、このコマ本体２１内部に圧縮コイルバネの圧力調整バネ３０を収納する。更に、給湯流路Ｐ１の長手側面側に位置する部位に底部２２を設けている。そして、流体流通時には、圧力調整バネ３０に押圧付勢された底部２２により、受水圧室１０の連通孔１１を閉じている（図３参照）。また、給湯流路Ｐ１内で瞬時圧力が発生すると圧力調整バネ３０が収縮して連通孔１１が開くように構成している（図４参照）。この結果、受水圧室１０内に流体が流入し、給湯流路Ｐ１内の圧力が緩和されるものである。受水圧室１０内に流体が移動した後、流体が再び流れ始めて給湯流路Ｐ１内の圧力が元に戻ると、圧力調整バネ３０の押圧付勢力にて受水圧コマ体２０が元の位置に戻り、受水圧室１０の流体は給湯流路Ｐ１内に戻されることになる。
【００２８】
図示のコマ本体２１は、シール材として受水圧室１０のとして側壁部１２内に密接するＸリング２３を備えている（図３参照）。そして、湯流路Ｐ１内に瞬時圧力が加わると、受水圧室１０の側壁部１２内で受水圧コマ体２０の摺動に伴って底部２２が移動し、閉塞されていた連通孔１１が開口し、受水圧室１０内に流体が流入する（図４参照）。このとき、連通孔１１に連通する側壁部１２内は、このＸリング２３により密封状態になる。
【００２９】
更に、受水圧コマ体２０の移動によって給湯流路Ｐ１内の圧力が軽減され、再び元の水圧に戻ると、圧力調整バネ３０の押圧付勢力が受水圧コマ体２０を押圧し、底部２２が再び連通孔１１を閉塞する（図３参照）。
【符号の説明】
【００３０】
Ｐ  温水器本体
Ｐ１  給湯流路
Ｐ２  給水管
Ｐ３  給湯管
１０  受水圧室
１１  連通孔
１２  側壁部
１３  蓋体
１４  支柱
１５  固定ネジ
１６  シール部品
２０  受水圧コマ体
２１  コマ本体
２２  底部
２３  Ｘリング
３０  圧力調整バネ
【図１】
2018185021.tif 000003
【図２】
2018185021.tif 000004
【図３】
2018185021.tif 000005
【図４】
2018185021.tif 000006
【手続補正書】
【提出日】平成30年8月3日(2018.8.3)
【手続補正１】
【補正対象書類名】特許請求の範囲
【補正対象項目名】全文
【補正方法】変更
【補正の内容】
【特許請求の範囲】
【請求項１】
電気瞬間温水器において、温水器本体を構成する合成樹脂材で給湯流路を一体に形成し、給湯流路の長手側面側に形成され該給湯流路に連通する連通孔を備えた受水圧室と、該受水圧室内に収納され給湯流路内の水圧の変化に伴って位置が可変する受水圧コマ体と、該受水圧コマ体を常時給湯流路側に押圧付勢する圧力調整バネとを備え、給湯流路内に瞬時圧力が加わると、給湯流路の流体が受水圧室に侵入して給湯流路の圧力が減圧されるように構成し、
前記受水圧室は、給湯流路の長手側面に連通する連通孔と、該連通孔から受水空間を備えた筒状の側壁部と、該側壁部の開口端部を施蓋する蓋体とで構成され、側壁部内で圧力調整バネが受水圧コマ体を押圧付勢し、給湯流路内で瞬時圧力が発生すると側壁部内で受水圧コマ体が摺動するように構成されたことを特徴とする電気瞬間温水器の圧力緩和機構。
【請求項２】
前記受水圧コマ体は、前記圧力調整バネを収納する有底筒状のコマ本体と、前記連通孔を閉じる底部とで構成され、流体流通時にコマ本体内に収納した前記圧力調整バネの押圧付勢力で底部が前記連通孔を閉じ、給湯流路内で瞬時圧力が発生すると前記連通孔が開くように構成された請求項１記載の電気瞬間温水器の圧力緩和機構。
【手続補正２】
【補正対象書類名】明細書
【補正対象項目名】０００９
【補正方法】変更
【補正の内容】
【０００９】
上述の課題を解決すべく本発明の第１の手段は、電気瞬間温水器において、温水器本体Ｐを構成する合成樹脂材で給湯流路Ｐ１を一体に形成し、給湯流路Ｐ１の長手側面側に形成され該給湯流路Ｐ１に連通する連通孔１１を備えた受水圧室１０と、該受水圧室１０内に収納され給湯流路Ｐ１内の水圧の変化に伴って位置が可変する受水圧コマ体２０と、該受水圧コマ体２０を常時給湯流路Ｐ１側に押圧付勢する圧力調整バネ３０とを備え、給湯流路Ｐ１内に瞬時圧力が加わると、給湯流路Ｐ１の流体が受水圧室１０に侵入して給湯流路Ｐ１の圧力が減圧されるように構成し、前記受水圧室１０は、給湯流路Ｐ１の長手側面に連通する連通孔１１と、該連通孔１１から受水空間を備えた筒状の側壁部１２と、該側壁部１２の開口端部を施蓋する蓋体１３とで構成され、側壁部１２内で圧力調整バネ３０が受水圧コマ体２０を押圧付勢し、給湯流路Ｐ１内で瞬時圧力が発生すると側壁部１２内で受水圧コマ体２０が摺動するように構成されたものである。
【手続補正３】
【補正対象書類名】明細書
【補正対象項目名】００１０
【補正方法】変更
【補正の内容】
【００１０】
受水圧室１０は、給湯流路Ｐ１の長手側面に連通する連通孔１１と、該連通孔１１から受水空間を備えた筒状の側壁部１２と、該側壁部１２の開口端部を施蓋する蓋体１３とで構成され、側壁部１２内で圧力調整バネ３０が受水圧コマ体２０を押圧付勢し、給湯流路Ｐ１内で瞬時圧力が発生すると側壁部１２内で受水圧コマ体２０が摺動するように構成されている。
【手続補正４】
【補正対象書類名】明細書
【補正対象項目名】００１１
【補正方法】変更
【補正の内容】
【００１１】
第２の手段における前記受水圧コマ体２０は、前記圧力調整バネ３０を収納する有底筒状のコマ本体２１と、前記連通孔１１を閉じる底部２２とで構成され、流体流通時にコマ本体２１内に収納した前記圧力調整バネ３０の押圧付勢力で底部２２が前記連通孔１１を閉じ、給湯流路Ｐ１内で瞬時圧力が発生すると前記連通孔１１が開くように構成されたものである。
【手続補正５】
【補正対象書類名】明細書
【補正対象項目名】００１５
【補正方法】変更
【補正の内容】
【００１５】
また、側壁部１２内で圧力調整バネ３０が受水圧コマ体２０を押圧付勢し、温水器本体Ｐと一体に形成された給湯流路Ｐ１内で瞬時圧力が発生すると、受水圧室１０の側壁部１２内で受水圧コマ体２０が摺動するように構成しているので、受水圧室１０の構成が簡素化し、受水圧室１０内で受水圧コマ体２０を確実に摺動させることができる。
【手続補正６】
【補正対象書類名】明細書
【補正対象項目名】００１６
【補正方法】変更
【補正の内容】
【００１６】
請求項２のごとく、流体流通時にコマ本体２１内に収納した圧力調整バネ３０の押圧付勢力で底部２２が連通孔１１を閉じ、給湯流路Ｐ１内で瞬時圧力が発生すると連通孔１１が開くように構成しているので、給湯流路Ｐ１内の僅かな圧力間変化にも瞬時に対応することができる。